(57)【要約】【課題】細長の吐水口が形成される樹脂製の吐水部材の変形を防ぎ、吐水部材と本体の間からの漏水を防止できる吐水装置の構成を提供すること。【解決手段】吐水装置１は、湯水が供給される本体１０と、本体１０に固定され、細長の吐水口２１が形成される樹脂製の吐水プレート２０と、吐水プレート２０とは別部材であって該吐水プレート２０の長手部分である環状部２５の変形を防止する変形防止部材としてのコイルバネ９０と、を備える。【選択図】図２
2018115525.tif 000002
【特許請求の範囲】
【請求項１】
水が供給される本体と、
前記本体に固定され、細長の吐水口が形成される樹脂製の吐水部材と、
前記吐水部材の長手部分の変形を防止する変形防止部材と、
を備える吐水装置。
【請求項２】
前記吐水部材の内側には前記本体の内部と前記吐水口を接続する流路が設けられ、
前記変形防止部材は、前記流路に１又は複数設けられる請求項１に記載の吐水装置。
【請求項３】
前記変形防止部材は、前記吐水口の長手方向に沿って隙間が均等に形成される請求項２に記載の吐水装置。
【請求項４】
前記変形防止部材は、前記吐水部材の内側から外側に付勢力を付与する弾性部材である請求項２又は３に記載の吐水装置。
【請求項５】
前記変形防止部材は、前記吐水口の外側を囲む壁部の内部に埋め込まれる請求項１に記載の吐水装置。
【発明の詳細な説明】
【技術分野】
【０００１】
本発明は、細長の吐水口を有する吐水装置に関する。
【背景技術】
【０００２】
従来、細長の吐水口から滝状に吐水する吐水装置が知られている。この種の吐水装置を開示するものとして例えば特許文献１や特許文献２がある。特許文献１や特許文献２には、吐水装置において、配管から湯水が供給される本体の下面に細長の吐水口が形成される吐水部材を固定し、該吐水口から滝状に湯水を吐水する構成が記載されている。
【先行技術文献】
【特許文献】
【０００３】
【特許文献１】特開２０１５−１７５１６６号公報
【特許文献２】特開２０１５−１７５１６７号公報
【発明の概要】
【発明が解決しようとする課題】
【０００４】
特許文献１及び特許文献２に示されるような吐水部材は、樹脂によって構成されており、その外周部分にシール部材としてのＯリングを配置して吐水部材と本体の間の隙間からの漏水を防止している。しかしながら、樹脂製の吐水部材は、高温の水の流通や経年変化に起因して変形するおそれがある。吐水部材が変形すれば、Ｏリングに対する押圧力が低減し、漏水の原因となってしまう。
【０００５】
本発明は、細長の吐水口が形成される樹脂製の吐水部材の変形を防ぎ、吐水部材と本体の間からの漏水を防止できる吐水装置の構成を提供することを目的とする。
【課題を解決するための手段】
【０００６】
本発明は、水が供給される本体（例えば、後述の本体１０）と、前記本体に固定され、細長の吐水口が形成される樹脂製の吐水部材（例えば、後述の吐水プレート２０，２２０，３２０，４２０，５２０，６２０，７２０，８２０）と、前記吐水部材の長手部分（例えば、後述の環状部２５）の変形を防止する変形防止部材（例えば、後述のコイルバネ９０、板バネ２９０、異形バネ３９０、コイルバネ４９０、棒状部材５９０、補強材６９０、環状補強材７９０，接続部８９０）と、を備える吐水装置（例えば、後述の吐水装置１）に関する。
【０００７】
前記吐水部材の内側には前記本体の内部と前記吐水口を接続する流路（例えば、後述の流路２７）が設けられ、前記変形防止部材は、前記流路に１又は複数設けられることが好ましい。
【０００８】
前記変形防止部材は、前記吐水口の長手方向に沿って隙間が均等に形成されることが好ましい。
【０００９】
前記変形防止部材は、前記吐水部材の内側から外側に付勢力を付与する弾性部材であることが好ましい。
【００１０】
前記変形防止部材は、前記吐水口の外側を囲む壁部（例えば、後述の環状部２５）の内部に埋め込まれることが好ましい。
【発明の効果】
【００１１】
本発明の吐水装置によれば、細長の吐水口が形成される樹脂製の吐水部材の変形を防ぎ、吐水部材と本体の間からの漏水を防止できる。
【図面の簡単な説明】
【００１２】
【図１】本発明の一実施形態に係る吐水装置を下から見た斜視図である。
【図２】本実施形態の吐水プレートの取付状態を示す側面断面図である。
【図３】本実施形態の吐水プレートを裏側から見た斜視図である。
【図４】本実施形態の吐水プレートの裏側を示す平面図である。
【図５】第１変形例の吐水プレートを示す図である。
【図６】第２変形例の吐水プレートを示す図である。
【図７】第３変形例の吐水プレートを示す図である。
【図８】第４変形例の吐水プレートを示す図である。
【図９】第５変形例の吐水プレートを示す図である。
【図１０】第６変形例の吐水プレートを示す図である。
【図１１】第７変形例の同じ部材で変形防止部材を構成した吐水プレートの図である。
【発明を実施するための形態】
【００１３】
以下、本発明の好ましい実施形態である吐水装置１について図面を参照しながら説明する。本実施形態の吐水装置１は、滝状の吐水を行うものであり、浴室等に用いられるものである。
【００１４】
図１に示すように、吐水装置１は、本体１０と、吐水プレート２０と、切替ハンドル１１と、温度調節ハンドル１２と、を備える。
【００１５】
本体１０には、給湯配管１３及び給水配管１４を通じて湯水が供給される。給湯配管１３及び給水配管１４は、本体１０の背面側に接続されており、周面を覆う配管カバー１５がそれぞれ設けられる。
【００１６】
本体１０の背面側であって給湯配管１３及び給水配管１４の間にはシャワー部（図示省略）に湯（高温の水）又は水を供給するためのシャワー配管１６が設けられる。本実施形態のシャワー配管１６は、本体１０の中央に配置されている。
【００１７】
吐水プレート２０は、本体１０の正面側下部に固定されている。吐水プレート２０には細長の吐水口２１が形成されている。本体１０に供給された湯水は、吐水口２１を出口として滝状（膜状）に吐水される。
【００１８】
切替ハンドル１１は、給水先を吐水装置１の吐水口２１か上述のシャワー部のいずれかに切り替えるためのものであり、本体１０の一側の側面に配置されている。吐水装置１の使用者は、この切替ハンドル１１によって、湯水の出し止めや吐水される水量の調節を行う。
【００１９】
温度調節ハンドル１２は、吐水される湯水の温度を調節するためのものであり、本体１０の切替ハンドル１１が配置された面とは反対の側面に配置される。使用者は、温度調節ハンドル１２によって湯水の温度調節を行う。
【００２０】
次に、本体１０に固定される吐水プレート２０の詳細な構成について説明する。図２は、本実施形態の吐水プレート２０の取付状態を示す側面断面図である。図３は、本実施形態の吐水プレート２０を裏側（本体１０側）から見た斜視図である。図４は、本実施形態の吐水プレート２０の裏側（本体１０側）を示す平面図である。
【００２１】
図２に示すように、吐水プレート２０は、本体１０の内部に形成される通水路４０の終端部に配置される。図２の側面視に示すように、本体１０の下面は、先端側から壁側（基端側）に近づくにつれて下側に傾斜するように形成されている。吐水プレート２０は、本体１０に取り付けた状態では、プレート部２３の吐水装置１の背面側が下側に傾いている。
【００２２】
図３及び図４に示すように、本実施形態の吐水プレート２０は、吐水口２１が形成されるプレート部２３と、膨出部２４と、環状部２５と、を備える。
【００２３】
プレート部２３は、細長の板状に形成されている。吐水口２１は、このプレート部２３の平面部分の中央に形成される。吐水口２１の両側には本体１０に吐水プレート２０を固定するためのネジ３１（図１参照）を取り付けるための取付孔２８が設けられる。
【００２４】
膨出部２４は、吐水口２１の吐水装置１背面側の長辺部分に沿って細長状のリブとして形成される。膨出部２４は、プレート部２３の平面部分から当該プレート部２３の厚み方向で外側に膨出している。膨出部２４は、その断面形状が下向きの略三角形状となっている。吐水装置１の吐水を止めると、吐水口２１から漏れ出た水滴がプレート部２３の表面をつたって本体１０の壁側に移動しようとする水滴の移動を規制する。
【００２５】
環状部２５は、プレート部２３における膨出部２４が形成される面と反対側の面に配置される。環状部２５は、吐水口２１より一回り大きい筒状に形成され、その断面形状が細長の長円になっている。環状部２５の背面側の端部には切欠部２６が形成される。切欠部２６は本体１０の通水路４０の底面に応じた形状となっている。環状部２５の内部空間が吐水口２１と通水路４０を接続する流路２７となる。
【００２６】
環状部２５の外周面には、シール部材としてのＯリング３０が取り付けられる取付溝２９がその外周面の全周にわたって形成される。吐水プレート２０は、Ｏリング３０を取付溝２９に取り付けた状態で本体１０に固定される。
【００２７】
吐水プレート２０には、該吐水プレート２０の変形を防止する変形防止部材としてのコイルバネ９０が配置される。コイルバネ９０は、その軸方向が吐水口２１の長手方向に沿うようにして環状部２５の内側である流路２７に配置される。コイルバネ９０は、環状部２５の内側で自然長の状態より若干縮んだ状態となっており、環状部２５の内壁を付勢した状態となっている。コイルバネ９０の弾性力によって環状部２５の流路２７におけるコイルバネ９０の位置が適切に保持されている。
【００２８】
本実施形態では、コイルバネ９０は、吐水口２１の長手方向の長さの略全域にわたる長さとなっている。また、図２に示すように、コイルバネ９０の外周部分が環状部２５の内壁に接する又は僅かな隙間をあける大きさとなっている。
【００２９】
図２の鎖線の矢印に示すように、給湯配管１３及び給水配管１４を通じて本体１０の通水路４０に供給された湯水は、流路２７の終端部にある吐水プレート２０の流路２７を通って吐水口２１に到達し、吐水口２１から吐出されるときに滝状に整形される。コイルバネ９０には吐水口２１の長手方向で複数の隙間があり、湯水がこの隙間を通ることにより整流されて均一な滝の形状で吐水される。
【００３０】
以上説明した本実施形態は以下のように構成される。
本実施形態の吐水装置１は、湯水が供給される本体１０と、本体１０に固定され、細長の吐水口２１が形成される樹脂製の吐水プレート２０と、吐水プレート２０とは別部材であって該吐水プレート２０の長手部分である環状部２５の変形を防止する変形防止部材としてのコイルバネ９０と、を備える。
【００３１】
これにより、吐水口２１を通過する高温の湯や経年劣化等によって吐水プレート２０が外側から内側に変形しようとしてもコイルバネ９０が吐水プレート２０の変形を防止する変形防止部材として機能する。これによって吐水プレート２０の変形が防止できるので、吐水プレート２０の変形によって吐水口２１の形状が変形する事態を防止できる。また、吐水プレート２０によって押しつぶされて止水を確保しているＯリング３０に対する押圧力が吐水プレート２０の変形によって低減し、吐水プレート２０の外側をつたって湯水が漏れ出したりする事態も防止できる。また、変形防止部材としてのコイルバネ９０が吐水プレート２０とは別部材となっているので高い剛性で吐水プレート２０の変形を確実に防止できる構成となっている。
【００３２】
また、本実施形態の吐水プレート２０の内側には本体１０の内部の通水路４０と吐水口２１を接続する流路２７が設けられ、変形防止部材としてのコイルバネ９０は、該流路２７に設けられる。
【００３３】
これにより、流路２７に別部材として配置されるコイルバネ９０によるシンプルな構成で吐水プレート２０の内側への変形を確実に防止できる。
【００３４】
また、本実施形態のコイルバネ９０は、吐水口２１の長手方向に沿って隙間が均等に形成されている。
【００３５】
これにより、コイルバネ９０の隙間を通ることにより、吐水口２１に到達する湯水が整流されて滝の形状をより幅方向でより均一に保つことができる。
【００３６】
また、本実施形態のコイルバネ９０は、吐水プレート２０の内側から外側に付勢力を付与する弾性部材である。
【００３７】
これにより、吐水プレート２０の内側で弾性力によってコイルバネ９０の位置が保持される。
【００３８】
以上、本発明の好ましい実施形態について説明したが、本発明は、上述の実施形態に制限されるものではなく、適宜変更が可能である。
【００３９】
次に、上記実施形態の変形例について説明する。なお、上記実施形態と共通の構成又は同様の構成については同じ符号を付してその説明を省略することがある。まず、上記実施形態のコイルバネ９０とは異なるバネ部材を変形防止部材として用いる第１変形例から第３変形例について説明する。
【００４０】
第１変形例について説明する。図５（ａ）は、第１変形例の吐水プレート２２０の裏側を示す平面図である。図５（ｂ）は、第１変形例の吐水プレート２２０の取付状態を示す側面断面図である。第１変形例の吐水プレート２２０では、板バネ２９０が変形防止部材として使用される。図５（ａ）に示すように、板バネ２９０は環状部２５の内側の流路２７の幅方向略中央に配置される。図５（ｂ）に示すように、板バネ２９０は、断面略Ｕ字状に形成されており、Ｕ字の開口部分が吐水口２１を跨いだ状態で吐水口２１側を向くように配置される。
【００４１】
第２変形例について説明する。図６（ａ）は、第２変形例の吐水プレート３２０の裏側を示す平面図である。図６（ｂ）は、本実施形態の吐水プレート３２０の取付状態を示す側面断面図である。第２変形例では、矩形の枠を折り曲げて形成した異形バネ３９０（図６（ｂ）参照）又は矩形に屈曲させて巻き回して形成した異形バネ３９１（図６（ｃ）参照）が変形防止部材として用いられる。第１変形例と同様に、異形バネ３９０又は異形バネ３９１は環状部２５の内側であって吐水プレート３２０の長手方向中央に配置される。
【００４２】
異形バネ３９０及び異形バネ３９１は、その断面形状が略Ｕ字状又は矩形になっており、環状部２５の内側で環状部２５を吐水口２１の長手方向に直交する方向で内側に凹む変形を妨げるように環状部２５を付勢している。異形バネ３９０と異形バネ３９１は、同時に組み合わせて使用してもよいし、何れか一方のみを使用してもよい。
【００４３】
第３変形例について説明する。図７は、第３変形例の吐水プレート４２０を示す平面図である。吐水プレート４２０は、環状部２５の内側に３個（複数）のコイルバネ４９０が幅方向で等間隔に並列配置される。コイルバネ４９０は、いずれもその軸方向が吐水口２１の長手方向に直交する方向となっている。
【００４４】
以上説明した第１変形例から第３変形例によっても、吐水プレート２２０，３２０，４２０の変形を防止できる。また、板バネ２９０、異形バネ３９０，３９１及び複数のコイルバネ４９０の何れの場合においても、吐水口２１の長手方向においては隙間が形成されているので、変形防止部材を配置することによる水量への影響も抑制されている。
【００４５】
次に、樹脂製の吐水プレートに金属製の変形防止部材をインサート成形した第４変形例及び第５変形例について説明する。
【００４６】
図８（ａ）は、第４変形例の吐水プレート５２０の裏側を示す平面図である。図８（ｂ）は、第４変形例の吐水プレート５２０の断面図である。第４変形例では、環状部２５の内側の流路２７であって吐水口２１よりも上流側に、金属等によって構成される３本（複数）の棒状部材５９０が変形防止部材として固定されている。
【００４７】
第４変形例では、棒状部材５９０の軸方向が吐水口２１の長手方向に直交する状態で両端部が環状部２５の内壁に埋設されている。複数の棒状部材５９０は、幅方向で等間隔になるように配置されている。棒状部材５９０は、樹脂製の吐水プレート５２０の製造時にインサート成形によって環状部２５の内側に固定される。これらの複数の棒状部材５９０により環状部２５（吐水プレート５２０）の変形が防止される。
【００４８】
第５変形例について説明する。図９（ａ）は、第５変形例の吐水プレート６２０の裏側を示す平面図である。図９（ｂ）は、第５変形例の吐水プレート６２０の断面図である。第５変形例では、樹脂製の吐水プレート６２０の長手部分である環状部２５の内部に変形防止部材としての金属製の補強材６９０が埋め込まれている。補強材６９０の埋め込みはインサート成形によって行われる。
【００４９】
以上説明したように第５変形例の変形防止部材としての補強材６９０は、吐水口２１の外側を囲む壁部である環状部２５の内部に埋め込まれる。これにより、環状部２５が短手方向で挟み込むような力を受けた場合でも補強材６９０によってその変形が妨げられる。なお、第５変形例では補強材６９０は長手部分にのみ埋め込まれているが、環状部２５の形状に応じた長円状の補強材を埋め込む構成としてもよい。
【００５０】
変形防止部材は、バネ部材やインサート成形で吐水プレートに埋め込む構成のものに限られるわけでない。図１０は、第６変形例の吐水プレート７２０を示す図である。第６変形例では、環状部２５の内側の空間である流路２７の形状に応じた環状補強材７９０が変形防止部材として用いられる。環状補強材７９０は、その外形の形状が環状部２５よりも小さく内径の形状が吐水口２１よりも大きく形成されている。この環状補強材７９０によっても上記実施形態及び変形例と同様に吐水プレート７２０の変形を防止することができる。
【００５１】
以上の実施形態及び変形例では、別部材によって変形防止部材を構成していたが、同じ部材で一体的に変形防止部材を形成する構成とすることができる。図１１（ａ）は第７変形例における吐水プレート８２０の裏側を示す平面図である。図１１（ｂ）は、この例における吐水プレート８２０の断面図である。図１１（ａ）及び（ｂ）に示すように、環状部２５の上端部を吐水口２１の長手方向に直交する方向で接続する接続部８９０が、流路２７における吐水口２１の上流側であって吐水プレート８２０の長手方向中央に形成される。接続部８９０は、プレート部２３及び環状部２５等と同じ部材であり、吐水プレート８２０の成形時に同時に成形される。
【００５２】
第７変形例における接続部８９０は、その形状が、吐水方向に向けて先細状に形成されており、接続部８９０が流路２７に存在することによって滝が２つに分かれるような事態の発生を防止している。この接続部８９０によっても吐水プレート８２０の変形を防止することができる。
【符号の説明】
【００５３】
１  吐水装置
１０  本体
２０，２２０，３２０，４２０，５２０，６２０，７２０，８２０  吐水プレート（吐水部材）
２１  吐水口
２５  環状部（長手部分）
９０  コイルバネ（変形防止部材）
２９０  板バネ（変形防止部材）
３９０  異形バネ（変形防止部材）
４９０  コイルバネ（変形防止部材）
５９０  棒状部材（変形防止部材）
６９０  補強材（変形防止部材）
７９０  環状補強材（変形防止部材）
８９０  接続部（変形防止部材）
【図１】
2018115525.tif 000003
【図２】
2018115525.tif 000004
【図３】
2018115525.tif 000005
【図４】
2018115525.tif 000006
【図５】
2018115525.tif 000007
【図６】
2018115525.tif 000008
【図７】
2018115525.tif 000009
【図８】
2018115525.tif 000010
【図９】
2018115525.tif 000011
【図１０】
2018115525.tif 000012
【図１１】
2018115525.tif 000013